(57)【要約】【課題】モノクロ表示領域を有する液晶表示装置において、バックライト装置の反射部材からの反射光に起因してモノクロ表示領域が黄色みがかるのを抑制し、製造工数の増加が少なく、かつ、厚みが増加しない透過型液晶表示装置を提供すること。【解決手段】一対の基板ＡＲ、ＣＦ間に液晶が封入され、少なくとも一部にモノクロ表示領域１６を備えている液晶表示パネル１１Ａと、バックライト装置１４とを備えた透過型液晶表示装置１０Ａにおいて、モノクロ表示領域１６の一対の基板ＡＲ、ＣＦの一方には一対の基板ＡＲ、ＣＦの対向面側に一種類の色（例えば淡い青色ＬＢ）からなる色補正層３７Ａを形成する。【選択図】  図４
2010117460.tif 000002
【特許請求の範囲】
【請求項１】
一対の基板間に液晶が封入され、独立して駆動される一単位である画素を複数有する表
示領域を有するとともに、前記表示領域には少なくとも一部にカラーフィルタ層が形成さ
れていないモノクロ表示画素からなるモノクロ表示領域を備えている液晶表示パネルと、
バックライト装置とを備えた透過型の液晶表示装置において、
前記モノクロ表示領域の前記一対の基板の一方には、前記一対の基板の対向面側に一種
類の色からなる色補正層が形成されていることを特徴とする液晶表示装置。
【請求項２】
前記色補正層は可視波長領域での透過率が５０％以上あることを特徴とする請求項１に
記載の液晶表示装置。
【請求項３】
前記色補正層は波長４００ｎｍ〜５００ｎｍの可視光の透過率が８０％以上あることを
特徴とする請求項１に記載の液晶表示装置。
【請求項４】
前記色補正層はカラーフィルタ層が形成されているカラー表示領域にも形成されている
ことを特徴とする請求項１に記載の液晶表示装置。
【請求項５】
前記色補正層は画素毎に開口部が形成されていることを特徴とする請求項１〜４のいず
れかに記載の液晶表示装置。
【請求項６】
前記カラーフィルタ層の表面には透明樹脂からなるオーバーコート層が形成されており
、前記色補正層の表面にはオーバーコート層が形成されていないことを特徴とする請求項
１〜４のいずれかに記載の液晶表示装置。
【発明の詳細な説明】
【技術分野】
【０００１】
本発明は透過型の液晶表示装置に関し、特に表示領域の少なくとも一部に色補正層を備
えたモノクロ表示画素からなるモノクロ表示領域を備えている透過型の液晶表示装置に関
する。
【背景技術】
【０００２】
液晶表示装置はＣＲＴ（陰極線管）と比較して軽量、薄型、低消費電力という特徴があ
るため、表示用として多くの電子機器に使用されている。液晶表示装置は、所定方向に整
列した液晶分子の向きを電界により変えて、液晶層の光の透過量を変化させて画像を表示
させるものである。この液晶表示装置の表示方法として透過型、反射型および半透過型の
ものがあるが、これらの液晶表示方法にはそれぞれ長所、短所が存在する。
【０００３】
透過型の液晶表示装置は、表示画面は美観に優れるが常にバックライト等の光源が必要
となるため消費電力が大きく、また、バックライトを光源とするために太陽光等の高輝度
のもとでは外光が明るすぎるため表示画面が見づらくなる。一方、反射型の液晶表示装置
は、消費電力は小さいが入射してきた外光を反射させて画面を表示させるため美観に優れ
た表示はし難い。更に、太陽光等の外光のもとでは表示画面は見やすくなるが、反対に外
光の弱い暗いところでは見づらくなる。
【０００４】
また、透過型と反射型の性質を併せ持つ半透過型液晶表示装置は、１つの画素内に画素
電極を備えた透過部と画素電極及び反射板の両方を備えた反射部を有している。そして、
暗い場所においてはバックライトを点灯して透過部を利用して画像を表示し、明るい場所
においてはバックライトを点灯することなく反射部において外光を利用して画像を表示す
るものである。そのため、半透過型液晶表示装置は、常時バックライトを点灯する必要が
なくなるので、消費電力を大幅に低減させることができるという長所を有しており、特に
携帯電話装置等の携帯用機器に使用されている。
【０００５】
更に、液晶表示装置の消費電力を低減させるために、下記特許文献１に開示されている
ように、輝度を低減させるカラーフィルタを部分的に除去して部分的にモノクロ表示させ
ることも考えられている。この部分的に形成されたモノクロ表示領域は、例えば携帯電話
装置の受信感度表示、バッテリ残量表示、時刻表示など、文字やアイコン等を長時間表示
させる補助画面用途に多く使用されている。
【特許文献１】特開２００５−１７３５６５号公報
【特許文献２】特開２００３−  ８２３０２号公報
【発明の開示】
【発明が解決しようとする課題】
【０００６】
従来の半透過型液晶表示装置は、液晶表示パネル内の反射領域に反射板を設ける必要が
あり、しかも、反射領域では外光が液晶層を往復透過するので反射領域の液晶層の厚さを
薄くする必要がある。そのため、半透過型の液晶表示パネルは、透過型の液晶表示パネル
よりも多くの製造工数を必要とし、高価となる。一方、透過型液晶表示装置は、バックラ
イト装置には反射部材が形成されているので、透過率が大きいモノクロ表示領域において
は、バックライトを消灯した際に一応反射型としても作動させることができる。
【０００７】
ところが、液晶層の液晶分子は長軸方向と短軸方向で異なった屈折率をもつために、液
晶層を通過する光の波長は分散する。そのため、カラーフィルタ層の一部を削除してモノ
クロ表示領域とすると、その部分は明るいモノクロ表示が可能であるが、バックライト装
置に形成されている反射部材による反射光に起因してモノクロ表示領域の色調が黄色味が
かってしまう。この現象は、特にバックライトを消灯したときには、液晶表示装置に入射
した外光がバックライト装置に形成されている反射部材によって反射されて２回液晶層を
透過するので、目立ってしまう。
【０００８】
また、上記特許文献２には、液晶表示装置のバックライト装置からの特定の波長の光を
カットするために、液晶表示装置の表面に色補正シートを形成した例が開示されている。
上述のようなモノクロ表示領域の色調を調整するため、液晶表示装置の表面に上記特許文
献２に開示されているような色補正シートを貼着する方法を採用すると、色補正シートの
厚さに対応する分だけ厚さが増加するので、薄型化及び高機能型が要求されている近年の
携帯機器用の液晶表示装置としては直ちには採用し難い。
【０００９】
本発明は、上述のような従来技術の問題点を解決すべくなされたものであって、表示領
域の少なくとも一部にモノクロ表示領域を有し、従来の透過型液晶表示装置と比較して製
造工数及び厚さが増加せず、しかも、モノクロ表示領域に色付きが生じ難い透過型の液晶
表示装置を提供することを目的とする。
【課題を解決するための手段】
【００１０】
上記目的を達成するため、本発明の液晶表示装置は、一対の基板間に液晶が封入され、
独立して駆動される一単位である画素を複数有する表示領域を有するとともに、前記表示
領域には少なくとも一部にカラーフィルタ層が形成されていないモノクロ表示画素からな
るモノクロ表示領域を備えている液晶表示パネルと、バックライト装置とを備えた透過型
の液晶表示装置において、前記モノクロ表示領域の前記一対の基板の一方には、前記一対
の基板の対向面側に一種類の色からなる色補正層が形成されていることを特徴とする。
【００１１】
本発明の液晶表示装置は、モノクロ表示領域の一対の基板の一方に、一対の基板の対向
面側に、一種類の色からなる色補正層が形成されている。この色補正層は、モノクロ表示
領域であれば一対の基板のいずれにも形成することができる。本発明の液晶表示装置によ
れば、この色補正層の存在によって、モノクロ表示領域の色を任意の色とすることができ
ると共に、特にバックライトを点灯した透過表示時に、バックライト装置に形成されてい
る反射部材による反射光に起因して、色調が黄色味がかることを補正し、無彩色となるよ
うにすることができるようになる。
【００１２】
加えて、本発明の液晶表示装置によれば、透過型の液晶表示装置の場合と比較して、製
造工数の増加が生じることがなく、しかも、色補正層は液晶表示装置の内部に形成されて
いるので、液晶表示装置の厚さが増加することがなくなる。なお、本発明の液晶表示装置
は、透過型カラー液晶表示装置の一部にモノクロ表示領域を有するものであってもよく、
全体がモノクロ表示領域である透過型モノクロ液晶表示装置であってもよい。また、本発
明の液晶表示装置で用いる液晶表示パネルは、縦電界方式のものであっても横電界方式の
ものであってもよい。
【００１３】
また、本発明の液晶表示装置においては、前記色補正層は可視波長領域での透過率が５
０％以上あることが好ましい。
【００１４】
色補正層の透過率が低すぎる（色が濃すぎる）と、バックライトを点灯した透過表示時
のみならずバックライトを消灯した場合でもバックライト装置の反射部材の反射光による
影響はあるが、モノクロ表示領域の色調は色補正層の色調に近づいてしまう。すなわち、
モノクロ表示領域の色調が無彩色になるように補正しようとしても、青味を帯びるように
なってしまう。本発明の液晶表示装置のように、色補正層の透過率が５０％以上であれば
、バックライトを点灯した場合及び消灯した場合共にモノクロ表示領域の色調が目立たな
くなる。なお、一般に可視波長領域とは、波長３８０ｎｍ〜７００ｎｍとされている。
【００１５】
また、本発明の液晶表示装置においては、前記色補正層は波長４００ｎｍ〜５００ｎｍ
の可視光の透過率が８０％以上あることが好ましい。
【００１６】
波長４００ｎｍ〜５００ｎｍの可視光は、青色領域に該当する。黄色領域の光を青色領
域の着色層を透過させると、白色に近い色にすることができる。そのため、本発明の液晶
表示装置によれば、バックライトを消灯した際のモノクロ表示領域の色調を白色に近い状
態とすることができようになる。なお、色補正層の波長４００ｎｍ〜５００ｎｍの可視光
の透過率が８０％未満であると、青色が目立つようになるので好ましくない。また、色補
正層の透過率が高い波長部分が波長４００ｎｍ〜５００ｎｍの範囲を外れると、バックラ
イトを消灯した際のモノクロ表示領域の色調を白色に近い状態とすることができなくなる
。
【００１７】
また、本発明の液晶表示装置においては、前記色補正層はカラーフィルタ層が形成され
ているカラー表示領域にも形成されていることが好ましい。
【００１８】
本発明の液晶表示装置のように、カラーフィルタ層が形成されているカラー表示領域に
も色補正層が形成されていると、特にモノクロ表示領域のみに色補正層を形成する必要が
なくなるので、製造が容易となる。加えて、カラーフィルタ層の表面に色補正層が形成さ
れていても、カラーフィルタ層の透過率は低い（色が濃い）ので、色補正層による影響は
少ない。
【００１９】
また、本発明の液晶表示装置においては、前記色補正層は画素毎に開口部が形成されて
いることが好ましい。
【００２０】
色補正層をモノクロ表示領域の全面に渉って形成されているようにする場合、色補正層
の透過率を高くするためには色補正層中に含まれる色素の濃度を低くする必要がある。一
方、色素の濃度が低い場合、僅かな色素濃度の変動があっても色補正層の透過率が大きく
変動するため、色補正層の透過率管理が困難となる。それに対し、本発明の液晶表示装置
においては、色補正層に開口部を形成したものを用いたため、色補正層として色素濃度が
高いものを使用できる。色補正層の色素濃度が高いと、色素濃度が変動しても色補正層の
透過率はあまり変化しない。しかも、モノクロ表示領域の透過率は開口部の面積を変える
ことによって容易に調整することができる。そのため、本発明の液晶表示装置によれば、
モノクロ表示領域の透過率のバラツキが少ない液晶表示装置が得られる。
【００２１】
また、本発明の液晶表示装置においては、前記カラーフィルタ層の表面には透明樹脂か
らなるオーバーコート層が形成されており、前記色補正層の表面にはオーバーコート層が
形成されていないものとすることができる。
【００２２】
カラーフィルタ層の表面に形成するオーバーコート層は、異なる色のカラーフィルタ層
による段差を平坦にし、また、遮光部材やカラーフィルタ層から流出する不純物が液晶層
に入らないように遮断するために用いられるものである。モノクロ表示領域に形成する色
補正層は、カラーフィルタ層とは異なり、透過率が高く、混入されている色素の濃度は薄
いために、不純物濃度は非常に薄くなっている。そのため、本発明の液晶表示装置におい
ては、色補正層の表面にオーバーコート層を形成しなくても液晶層の劣化の虞は小さくな
る。
【発明を実施するための最良の形態】
【００２３】
以下、実施形態及び図面を参照して本発明を実施するための最良の形態を説明するが、
以下に示す実施形態は本発明をここに記載したものに限定することを意図するものではな
く、本発明は特許請求の範囲に示した技術思想を逸脱することなく種々の変更を行ったも
のにも均しく適用し得るものである。なお、この明細書における説明のために用いられた
各図面においては、各層や各部材を図面上で認識可能な程度の大きさとするため、各層や
各部材毎に縮尺を異ならせて表示しており、必ずしも実際の寸法に比例して表示されてい
るものではない。
【００２４】
図１は第１実施形態に係る液晶表示装置の液晶表示パネルの要部の構成を示す平面図で
ある。図２は第１実施形態の液晶表示装置のカラーフィルタ基板を透視して表した３サブ
画素分の平面図である。図３は図２のIII−III線の断面図である。図４Ａは第１実施形態
のカラー表示領域における図２のIV−IV線に対応する部分の断面図であり、図４Ｂは第１
実施形態のモノクロ表示領域における図４Ａに対応する断面図である。図５は色補正層の
分光透過率を示す図である。図６Ａは第２実施形態のモノクロ表示領域における図４Ａに
対応する断面図であり、図６Ｂは第３実施形態のモノクロ表示領域における図４Ａに対応
する断面図であり、図６Ｃは第４実施形態のモノクロ表示領域における図４Ａに対応する
断面図である。図７は第５実施形態の液晶表示装置のカラーフィルタ基板を透視して表し
た３サブ画素分の平面図である。図８は図７のVIII−VIII線の断面図である。図９は第５
実施形態のモノクロ表示領域における図７のIX−IX線の断面図である。
【００２５】
［第１実施形態］
第１実施形態の液晶表示装置１０Ａは、ＴＮ（Twisted Nematic）モードの縦電界方式
の透過型液晶表示装置であり、その要部の構成を図１〜図５を用いて説明する。第１実施
形態の液晶表示装置１０Ａは、図３に示すように、液晶表示パネル１１Ａを有し、この液
晶表示パネル１１Ａの背面側には第１偏光板１２が貼付され、表示面側には第２偏光板１
３が貼付され、第１偏光板１２の背面側にはバックライト装置１４が配設されている。
【００２６】
図１に示すように、第１実施形態の液晶表示装置１０Ａの液晶表示パネル１１Ａは、中
央部に広いカラー表示領域１５を有している。カラー表示領域１５の例えば上方にはモノ
クロ表示領域１６が、モノクロ表示領域１６の上方には光センサ領域１７が形成されてい
る。また、カラー表示領域１５の下方には信号線配線領域１８が、左右側及び下方の左右
側には走査線配線領域１９が、更に液晶表示パネル１１Ａの周縁側にはコモン配線領域２
０が形成されている。そして、液晶表示パネル１１Ａの下方側には表示用のドライバＩＣ
２１が載置され、更に外部制御回路に接続するための端子２２が形成されている。
【００２７】
カラー表示領域１５は例えばＲ（赤）・Ｇ（緑）・Ｂ（青）の３つのサブ画素で１画素
を構成し、モノクロ表示領域１６も３つのサブ画素で１画素を構成している。なお、モノ
クロ表示領域１６は、カラーフィルタ層が形成されていない以外はカラー表示領域１５と
同様の構成を備えている。カラー表示領域１５及びモノクロ表示領域１６共にそれぞれ複
数の画素が行方向（走査線方向）及び列方向（信号線方向）に形成されている。
【００２８】
図３、図４Ａ、図４Ｂに示すように、液晶表示パネル１１Ａは液晶層ＬＣがアレイ基板
ＡＲとカラーフィルタ基板ＣＦとで挟持される構成となっている。アレイ基板ＡＲはカラ
ー表示領域１５もモノクロ表示領域１６も同様の構成を備えている。アレイ基板ＡＲは透
明な絶縁性を有するガラスや石英、プラスチック等からなる第１透明基板２３を基体とし
ている。第１透明基板２３上には、液晶層ＬＣに面する側に、アルミニウムやモリブデン
等の金属からなる走査線２４及び補助容量線２５が図２のＸ軸方向（行方向）に形成され
ている。走査線２４からはゲート電極Ｇがサブ画素の左下に延設されており、補助容量線
２５からは補助容量電極２６が延設されている。
【００２９】
また、走査線２４、ゲート電極Ｇ、補助容量線２５、補助容量電極２６及び第１透明基
板２３の露出部分を覆うようにして窒化ケイ素や酸化ケイ素等からなる透明なゲート絶縁
膜２７が積層されている。そして、平面視でゲート電極Ｇと重なるゲート絶縁膜２７上に
は非晶質シリコンや多結晶シリコンなどからなる半導体層２８が形成されている。また、
ゲート絶縁膜２７上にはアルミニウムやモリブデン等の金属からなる複数の信号線２９が
、サブ画素の左側に図２のＹ軸方向（列方向）に形成されている。この信号線２９からは
ソース電極Ｓが延設され、このソース電極Ｓは半導体層２８の表面と部分的に接触してい
る。
【００３０】
更に、信号線２９及びソース電極Ｓと同一の材料で同時に形成されたドレイン電極Ｄが
ゲート絶縁膜２７上に設けられており、このドレイン電極Ｄはソース電極Ｓと近接配置さ
れて半導体層２８と部分的に接触している。また、ドレイン電極Ｄは、図２に示すように
、平面視で補助容量電極２６と重なるように延設されている。液晶表示パネル１１Ａの隣
接する走査線２４と信号線２９とによって囲まれた領域が１サブ画素領域に相当する。そ
してゲート電極Ｇ、ゲート絶縁膜２７、半導体層２８、ソース電極Ｓ、ドレイン電極Ｄに
よってスイッチング素子となる薄膜トランジスタＴＦＴが構成され、それぞれのサブ画素
にこのＴＦＴが形成されている。
【００３１】
更に、信号線２９、ＴＦＴ及びゲート絶縁膜２７の露出部分を覆うようにして例えば窒
化ケイ素や酸化ケイ素等からなる透明なパッシベーション膜３０が積層されている。そし
て、パッシベーション膜３０を覆うようにしてＩＴＯ（Indium Thin Oxide）ないしＩＺ
Ｏ（Indium Zinc Oxide）等の透明導電性材料からなる画素電極３１が形成されている。
パッシベーション膜３０を貫通してドレイン電極Ｄに達するコンタクトホール３２が形成
されており、このコンタクトホール３２を介して画素電極３１とドレイン電極Ｄとが電気
的に接続されている。また、画素電極３１を覆ってポリイミド等からなる第１配向膜３３
が積層されている。なお、ここでは画素電極３１をパッシベーション膜３０の表面に直接
形成した例を示したが、画素電極３１の表面が平坦となるようにするために、画素電極３
１とパッシベーション膜３０との間に樹脂材料からなる層間膜を配置してもよい。
【００３２】
カラーフィルタ基板ＣＦは透明な絶縁性を有するガラスや石英、プラスチック等からな
る第２透明基板３４を基体としている。第２透明基板３４には、遮光部材３５と、カラー
表示領域１５にサブ画素毎に異なる色の光（例えば、Ｒ、Ｇ、Ｂ）を透過するカラーフィ
ルタ層３６と、モノクロ表示領域１６に色補正層３７Ａが形成されている。なお、色補正
層３７Ａの分光透過率を図５に示した。色補正層３７Ａは、ここでは可視波長領域（３８
０ｎｍ〜７００ｎｍ）での透過率が７５％以上で、４００ｎｍ〜５００ｎｍの可視光の透
過率が８７％以上の淡い青色ＬＢのものを用いている。
【００３３】
遮光部材３５、カラーフィルタ層３６及び色補正層３７Ａを覆うようにして例えばフォ
トレジスト等の透明樹脂材料からなるオーバーコート層３８が積層されている。このオー
バーコート層３８は異なる色のカラーフィルタ層３６による段差を平坦にし、また、遮光
部材３５やカラーフィルタ層３６から流出する不純物が液晶層ＬＣに入らないように遮断
する。オーバーコート層３８を覆うようにしてＩＴＯ（Indium Thin Oxide）ないしＩＺ
Ｏ（Indium Zinc Oxide）等の透明導電性材料からなる共通電極３９が形成され、共通電
極３９を覆うようにして例えばポリイミドからなる第２配向膜４０が形成されている。第
１配向膜３３及び第２配向膜４０は、電圧無印加時に液晶分子を予め定めた所定方向に配
向させるものであり、適宜ラビング処理が行われている。
【００３４】
このようにして形成されたアレイ基板ＡＲ及びカラーフィルタ基板ＣＦを互いに対向さ
せ、両基板の周囲にシール材（不図示）を設けることにより両基板を貼り合せ、両基板間
に液晶を充填することにより第１実施形態に係る液晶表示パネル１１Ａが得られる。なお
、カラーフィルタ基板ＣＦには液晶層ＬＣを所定の厚みに保持するための柱状スペーサ（
不図示）が形成されている。また、光センサ領域１７には、照度に応じた出力を発生する
光センサ（不図示）が形成されており、これを用いて外光の明るさを検出し、バックライ
ト装置の輝度が所定値となるように外部のコントローラ基板（不図示）によって制御され
るようになされている。
【００３５】
また、バックライト装置１４は、導光板４１と、光学シート４２と、反射シート４３と
を備えている。そして、図示省略したが、バックライトとして、導光板４１の入光面とな
る側面に対向して白色光を出射する複数の発光ダイオードＬＥＤが配設されている。導光
板４１は、入射光面となる側面にはＬＥＤからの入光の輝度を均一にするための凹凸の処
理が施されており、また、出射光面となる光学シート４２側の表面には光を拡散光とする
ための凹凸の処理が施されている。また、反射シート４３はＬＥＤからの光を光学シート
４２側に反射させるためのものであるが、液晶表示パネル１１Ａを透過してきた外光を液
晶表示パネル１１Ａ側に反射させる機能も有している。光学シート４３は、図示省略した
が、プリズムシート及び輝度が均一になるように拡散する拡散シートが重畳されている。
【００３６】
上述の構成により、スイッチング素子としてのＴＦＴがＯＮになって画素電極３１と共
通電極３９間に電圧が印加されると、両電極３１、３９間に発生した電界によって液晶層
ＬＣの液晶分子の配向状態が変化する。これにより、液晶層ＬＣの光透過率が変化して画
像を表示することとなる。なお、ドレイン電極Ｄと補助容量電極２６とゲート絶縁膜２７
により補助容量部を形成し、ＴＦＴがＯＮ状態となっている間に両電極３１、３９間に印
加された電荷をＴＦＴがＯＦＦ状態になっている間保持する。
【００３７】
そして、バックライト装置１４からの入射光により、カラー表示領域１５ではカラーフ
ィルタ層３６によって定まる色のカラー画像表示が行なわれ、モノクロ表示領域１６では
モノクロ画像表示が行なわれる。
【００３８】
また、液晶層ＬＣの液晶分子は長軸方向と短軸方向で異なった屈折率をもつために、液
晶層ＬＣを通過する光の波長は分散する。このためにモノクロ表示領域１６は、カラーフ
ィルタ層３６を徐外しただけでは、バックライト装置１４の反射シート４３からの反射光
に起因して、色調が黄色味がかる。このために、ここでは可視波長領域での透過率が７５
％以上で、波長４００ｎｍ〜５００ｎｍの可視光の透過率が８０％以上の淡い青色ＬＢの
色補正層３７Ａを用いている。このような性質の色補正層３７Ａを用いると、モノクロ表
示領域１６の色調が黄色味がかるのを補正して有彩色とならないようにすることができる
。
【００３９】
なお、バックライトの点灯時及び消灯時の両方に対応するには、色補正層３７Ａは可視
波長領域での透過率は５０％以上であることが好ましい。また、モノクロ表示領域１６の
色調が黄色味がかるのを補正して有彩色とならないように補正するための色補正層３７Ａ
は波長が４００ｎｍ〜５００ｎｍの補色の透過率が８０％以上であることが好ましい。こ
のような特性を有している色補正層３７Ａは淡い青色ＬＢ色に見える。なお、色補正層３
７Ａは、厚さが２μｍ程度であり、従来例の色補正シートの厚さが約１００μｍであるこ
とと比較すると非常に薄くて済み、しかも、液晶表示パネル１１Ａの内部に形成されてい
るので、液晶表示装置１０Ａの厚さが増加することがなくなる。
【００４０】
上述のように、第１実施形態の液晶表示装置１０Ａは、少なくともモノクロ表示領域１
６を有しており、このモノクロ表示領域１６では、カラーフィルタ層３６に換えて色補正
層３７が液晶表示パネル１１Ａの内部に形成されているので、モノクロ表示領域１６の色
調が黄色味がかるのを補正して有彩色とならないようにすることができる。また、このモ
ノクロ表示領域１６では、色補正層３７Ａが内部に成膜されているので、特に従来の透過
型の液晶表示装置の場合と比較して製造工数が大きく増加することがなく、かつ、液晶表
示装置１０Ａの厚みを増加させることがなく、しかも、モノクロ表示領域１６の色調が黄
色味がかることが抑制された透過型の液晶表示装置１０Ａが得られる。
【００４１】
［第２実施形態］
第２実施形態の液晶表示装置１０Ｂを図６Ａを用いて説明する。なお、図６Ａにおいて
は、第１実施形態の液晶表示装置１０Ａと構成が同一の箇所には同一の参照符号を付与し
てその詳細な説明は省略する。第２実施形態の液晶表示装置１０Ｂが第１実施形態の液晶
表示装置１０Ａと構成が相違する点は、カラーフィルタ基板ＣＦのモノクロ表示領域１６
のオーバーコート層３８を削除した点である。
【００４２】
オーバーコート層３８は透明な樹脂材料から形成されている。通常、カラーフィルタ基
板ＣＦのオーバーコート層３８は異なる色のカラーフィルタ層３６による段差を平坦にし
、また、遮光部材３５やカラーフィルタ層３６から流出する不純物が液晶層ＬＣに混入し
ないようにするために用いられるものである。しかしながら、第２実施形態の液晶表示装
置１０Ｂでは、モノクロ表示領域１６にはカラーフィルタ層３６はなく、その代わりに色
補正層３７Ｂのみが形成されている。この色補正層３７Ｂも第１実施形態の色補正層３７
Ａと同様の特性を有している。
【００４３】
この色補正層３７Ｂは、カラーフィルタ層３６とは異なり、透過率が高く、混入されて
いる色素の濃度は低い（淡い青色ＬＢとなっている）ために、不純物濃度は非常に低くな
っている。しかも、共通電極３９も遮光部材３５やカラーフィルタ層３６から流出する不
純物が液晶層ＬＣに入らないように遮断する効果があるので、少なくとも色補正層３７Ｂ
の表面がオーバーコート層３８で被覆されていなくても、色補正層３７Ｂ中の不純物が液
晶層ＬＣを汚染する虞は非常に小さい。そのため、第２実施形態の液晶表示装置１０Ｂに
よれば、モノクロ表示領域１６にオーバーコート層３８を設けなくても、液晶層ＬＣの劣
化の虞は小さくなる。
【００４４】
［第３実施形態］
第３実施形態の液晶表示装置１０Ｃを図６Ｂを用いて説明する。なお、図６Ｂにおいて
は、第１実施形態の液晶表示装置１０Ａと構成が同一の箇所には同一の参照符号を付与し
てその詳細な説明は省略する。第３実施形態の液晶表示装置１０Ｃが第１実施形態の液晶
表示装置１０Ａと構成が相違する点は、第１実施形態の液晶表示装置１０Ａではモノクロ
表示領域１６の色補正層３７Ａがモノクロ表示領域１６の全面にわたって形成されている
が、第３実施形態の液晶表示装置１０Ｃでは色補正層３７Ｃに開口部３７Ｃ'を形成した
ものを用いたものである。
【００４５】
第１実施形態の液晶表示装置１０Ａのように、色補正層３７Ａをモノクロ表示領域１６
の全面にわたって形成されているようにする場合、色補正層３７Ａの透過率を高くするた
めには色補正層３７Ａ中に含まれる色素の濃度を低くする必要がある。一方、色素の濃度
が低い場合、僅かな色素濃度の変動があっても色補正層３７Ａの透過率が大きく変動する
ため、色補正層３７Ａの透過率管理が困難となる。
【００４６】
そこで、第３実施形態の液晶表示装置１０Ｃでは、色補正層３７Ｃとして第１実施形態
の液晶表示装置１０Ａの色補正層３７Ａよりも色素濃度が濃いものを使用し、この色補正
層３７Ｃに開口部３７Ｃ'を形成したものを用いたものである。この色補正層３７Ｃは第
１実施形態の色補正層３７Ａよりも色が濃い青色であるが、カラー表示領域１５の青色の
カラーフィルタ層Ｂと比すると色は淡いので、図６ＢではＬＢ'として示してある。この
ように色補正層３７Ｃに開口部３７Ｃ'を形成したものを用いると、色補正層３７Ｃ内の
色素濃度が変動しても色補正層３７Ｃの透過率はあまり変化しない。しかも、モノクロ表
示領域１６の透過率は、色補正層３７Ｃに形成された開口部３７Ｃ'の面積を変えること
によって容易に調整することができる。そのため、第３実施形態の液晶表示装置１０Ｃに
よれば、第１実施形態の液晶表示装置１０Ａの場合よりもモノクロ表示領域１６の透過率
のバラツキが少なくなる。
【００４７】
［第４実施形態］
第４実施形態の液晶表示装置１０Ｄを図６Ｃを用いて説明する。なお、図６Ｃにおいて
は、第１実施形態の液晶表示装置１０Ａと構成が同一の箇所には同一の参照符号を付与し
てその詳細な説明は省略する。第４実施形態の液晶表示装置１０Ｄが第１実施形態の液晶
表示装置１０Ａと構成が相違する点は、第１実施形態の液晶表示装置１０Ａではモノクロ
表示領域１６に形成する色補正層３７Ａをカラーフィルタ基板ＣＦ側に形成したが、第４
実施形態の液晶表示装置１０Ｄでは色補正層３７Ｄをアレイ基板ＡＲの画素電極３１と第
１配向膜３３との間に形成したものである。なお、この色補正層３７Ｄも第１実施形態の
色補正層３７Ａと同様の特性を有している。
【００４８】
このように、色補正層３７Ｄをアレイ基板ＡＲに形成しても、第１実施形態の液晶表示
装置１０Ａと同様の作用効果を達成することができる。なお、第４実施形態の液晶表示装
置１０Ｄにおいては、色素濃度が低いため、第２実施形態の液晶表示装置１０Ｂの場合と
同様に、色補正層３７Ｄの表面に液晶層ＬＣの劣化防止のためのオーバーコート層を形成
しなくてもよい。
【００４９】
［第５実施形態］
第５実施形態の液晶表示装置１０Ｅを図７〜図９を用いて説明する。なお、図７〜図９
においては、第１実施形態の液晶表示装置１０Ａと構成が同一の箇所には同一の参照符号
を付与してその詳細な説明は省略する。第５実施形態の液晶表示装置１０Ｅが第１実施形
態の液晶表示装置１０Ａと構成が相違する点は、第１実施形態の液晶表示装置１０ＡはＴ
Ｎモードの縦電界方式の透過型液晶表示装置であったが、第５実施形態の液晶表示装置１
０Ｅは横電界方式のＦＦＳ（Fringe Field Switching）モードの透過型液晶表示装置であ
る点である。
【００５０】
なお、第５実施形態の液晶表示装置１０Ｅの液晶表示パネル１１Ｅの要部の構成を示す
平面図は、図１と同様である。更に、液晶表示パネル１１Ｅは、液晶層ＬＣがアレイ基板
ＡＲとカラーフィルタ基板ＣＦとの間に挟持されており、また、カラー表示領域１５にお
いてもモノクロ表示領域１６においてもアレイ基板ＡＲは同じ構成を備えている。
【００５１】
この液晶表示パネル１１Ｅのアレイ基板ＡＲは、透明な絶縁性を有するガラスや石英、
プラスチック等からなる第１透明基板２３を基体としている。第１透明基板２３上には、
液晶層ＬＣに面する側に、アルミニウムやモリブデン等の金属からなる走査線２４及びコ
モン配線４４が図７のＸ軸方向（行方向）に形成されている。走査線２４からはゲート電
極Ｇがサブ画素の左下に延設されており、ＩＴＯないしＩＺＯの透明導電性材料からなる
下電極４５がサブ画素毎に形成されており、この下電極４５はコモン配線４４に電気的に
接続されている。そのため、下電極４５は共通電極として作動する。
【００５２】
また、走査線２４、ゲート電極Ｇ、コモン配線４４、下電極４５及び第１透明基板２３
の露出部分を覆うようにして窒化ケイ素や酸化ケイ素等からなる透明なゲート絶縁膜２７
が積層されている。そして、第１実施形態の液晶表示装置１０Ａの液晶表示パネル１１Ａ
の場合と同様に、ゲート電極Ｇ、ゲート絶縁膜２７、半導体層２８、ソース電極Ｓ、ドレ
イン電極Ｄによってスイッチング素子としてのＴＦＴが形成され、更にそれらの表面にパ
ッシベーション膜３０が積層されている。
【００５３】
そして、パッシベーション膜３０を覆うようにして、サブ画素毎にＩＴＯないしＩＺＯ
等の透明導電性材料からなる上電極４６が形成されている。パッシベーション膜３０を貫
通してドレイン電極Ｄに達するコンタクトホール３２が形成されており、このコンタクト
ホール３２を介して上電極４６とドレイン電極Ｄとが電気的に接続されている。図７に示
すように、上電極４６には複数のスリット４７が平行に形成されている。スリット４７は
長円形状であり、その長手方向は走査線２４の延在方向に対して約５度傾斜している。こ
の上電極４６を覆うように例えばポリイミドからなる第１配向膜３３が積層されている。
第１配向膜３３は走査線２４の延在方向にラビング処理されている。スリット４７に対応
する位置の下電極４５と上電極４６間の電界によって液晶層ＬＣの液晶分子の配向が変化
する。
【００５４】
第５実施形態のカラーフィルタ基板ＣＦは、第１実施形態の液晶表示パネル１１Ａにお
けるカラーフィルタ基板ＣＦより共通電極３９を削除し、第２配向膜４０に第１配向膜３
３とは逆方向のラビング処理を施したものである。そして、第１実施形態の液晶表示パネ
ル１１Ａの場合と同様に、第５実施形態のアレイ基板ＡＲ及びカラーフィルタ基板ＣＦは
、液晶層ＬＣを挟持するように対向配置され、第５実施形態の液晶表示パネル１１Ｅが得
られる。そして、第１実施形態の液晶表示装置１０Ａの場合と同様に、液晶表示パネル１
１Ｅの背面側にバックライト装置１４が配設されている。
【００５５】
上述の構成により、薄膜トランジスＴＦＴがＯＮになって上電極４６と下電極４５間に
電圧が印加されると両電極４６、４５間に電界が発生して液晶層ＬＣの液晶分子の配向状
態が変化する。これにより、液晶層ＬＣの光透過率が変化して画像を表示することとなる
。
【００５６】
この第５実施形態の液晶表示装置１０Ｅにおいても、モノクロ表示領域１６では、カラ
ーフィルタ層に換えて色補正層３７Ｅが液晶表示パネル１１Ｅの内部に形成されているの
で、モノクロ表示領域１６の色調が黄色味がかるのを補正して有彩色とならないようにす
ることができる。なお、この色補正層３７Ｅも第１実施形態の色補正層３７Ａと同様の特
性を有している。このモノクロ表示領域１６では、色補正層３７Ｅが内部に成膜されてい
るので、特に従来の透過型の液晶表示装置の場合と比較して、製造工数が大きく増加する
ことがなく、かつ、液晶表示装置１０Ｅの厚みを増加させることなく、しかも、色調が黄
色味がかることが抑制された横電界方式のＦＦＳモードの透過型液晶表示装置１０Ｅが得
られる。
【００５７】
なお、第１実施形態〜第５実施形態の液晶表示装置１０Ａ〜１０Ｅにおいては、表示領
域がカラー表示領域１５及びモノクロ表示領域１６の両者を有するものとして説明したが
、表示領域全体がモノクロ表示領域のみからなるものに対しても適用可能である。
【図面の簡単な説明】
【００５８】
【図１】第１実施形態に係る液晶表示装置の液晶表示パネルの要部の構成を示す平面図である。
【図２】第１実施形態の液晶表示装置のカラーフィルタ基板を透視して表した３サブ画素分の平面図である。
【図３】図２のIII−III線の断面図である。
【図４】図４Ａは第１実施形態のカラー表示領域における図２のIV−IV線に対応する部分の断面図であり、図４Ｂは第１実施形態のモノクロ表示領域における図４Ａに対応する断面図である。
【図５】色補正層の分光透過率を示す図である。
【図６】図６Ａは第２実施形態のモノクロ表示領域における図４Ａに対応する断面図であり、図６Ｂは第３実施形態のモノクロ表示領域における図４Ａに対応する断面図であり、図６Ｃは第４実施形態のモノクロ表示領域における図４Ａに対応する断面図である。
【図７】第５実施形態の液晶表示装置のカラーフィルタ基板を透視して表した３サブ画素分の平面図である。
【図８】図７のVIII−VIII線の断面図である。
【図９】第５実施形態のモノクロ表示領域における図７のIX−IX線の断面図である。
【符号の説明】
【００５９】
１０Ａ〜１０Ｅ：液晶表示装置  １１Ａ〜１０Ｅ：液晶表示パネル  １２：第１偏光板
１３：第２偏光板  １４：バックライト装置  １５：カラー表示領域  １６：モノクロ
表示領域  １７：光センサ領域  １８：信号線配線領域  １９：走査線配線領域  ２０：
コモン配線領域  ２１：ドライバＩＣ  ２２：端子  ２３：第１透明基板  ２４：走査線
２５：補助容量線  ２６：補助容量電極  ２７：ゲート絶縁膜  ２８：半導体層  ２９
：信号線  ３０：パッシベーション膜  ３１：画素電極  ３２：コンタクトホール  ３３
：第１配向膜  ３４：第２透明基板  ３５：遮光部材  ３６：カラーフィルタ層  ３７Ａ
〜３７Ｅ：色補正層  ３７Ｃ'：開口部  ３８：オーバーコート層  ３９：共通電極  ４
０：第２配向膜  ４１：導光板  ４２：反射シート  ４３：光学シート  ４４：コモン配
線  ４５：下電極  ４６：上電極  ４７：スリット  ＬＣ：液晶層  ＡＲ：アレイ基板  
ＣＦ：カラーフィルタ基板  
【図１】
2010117460.tif 000003
【図２】
2010117460.tif 000004
【図３】
2010117460.tif 000005
【図４】
2010117460.tif 000006
【図５】
2010117460.tif 000007
【図６】
2010117460.tif 000008
【図７】
2010117460.tif 000009
【図８】
2010117460.tif 000010
【図９】
2010117460.tif 000011